(57)【要約】【課題】  本発明の目的は、オーブン室の内部に設けられたトレイ部材の流動による衝突騒音を減少することができる。【解決手段】  オーブン室を形成する本体と、前記オーブン室内に上下に互いに離隔されて設けられて混合バッグの両端部を把持して回転する一対の捏ねドラムと、を含む製パン機において、前記両捏ねドラムの間で前記混合バッグの通過のためのスリットを形成するように互いに対向して配置される一対のトレイ部材と、前記一対のトレイ部材の両端部に結合されるトレイホルダー部材と、前記オーブン室の内部の両側壁に互いに対向して設けられ、前記トレイホルダー部材とスライディング結合されて、前記トレイホルダー部材をスライディングできるように案内する一対のガイド部材と、前記トレイホルダー部材と前記ガイド部材との間に介される緩衝部材と、を含むことを特徴とする。【選択図】  図１
2004329905.tif 000002
【特許請求の範囲】
【請求項１】
オーブン室を形成する本体と、前記オーブン室内に上下に互いに離隔されて設けられて混合バッグの両端部を把持して回転する一対の捏ねドラムと、を含む製パン機において、
前記両捏ねドラムの間で前記混合バッグの通過のためのスリットを形成するように互いに対向して配置される一対のトレイ部材と、
前記一対のトレイ部材の両端部に結合されるトレイホルダー部材と、
前記オーブン室の内部の両側壁に互いに対向して設けられ、前記トレイホルダー部材とスライディング結合されて、前記トレイホルダー部材をスライディングできるように案内する一対のガイド部材と、
前記トレイホルダー部材と前記ガイド部材との間に介される緩衝部材と、
を含むことを特徴とする製パン機。
【請求項２】
前記緩衝部材は、前記トレイホルダー部材と前記ガイド部材との中でいずれか一つに付着されていることを特徴とする請求項１に記載の製パン機。
【請求項３】
前記ガイド部材は、前記オーブン室の内部の側壁に結合される結合面と、前記結合面の下端部から延長形成されて、前記トレイホルダー部材の下部面が安着される安着面と、前記安着面と所定の離隔間隔をおいて互いに平行に配置されるように前記結合面の上端部から延長形成された上部面を有し、前記上部面は、前記安着面の幅よりも小幅を有する狭小部分と、前記安着面の幅と略同一幅を有する拡張部分と、を有することを特徴とする請求項２に記載の製パン機。
【請求項４】
前記一対のトレイ部材は、前記トレイホルダー部材に結合される固定トレイ部材と、前記トレイ部材に対して回動できるように結合される回動トレイ部材と、を含み、前記狭小部分は、前記回動トレイ部材の長手方向に対して垂直方向による長手と略同一であることを特徴とする請求項３に記載の製パン機。
【請求項５】
前記緩衝部材は、前記拡張部分に対応する前記トレイホルダー部材の上部面に付着される第１緩衝部と、前記トレイホルダー部材の下部面に付着される第２緩衝部と、を有することを特徴とする請求項４に記載の製パン機。
【請求項６】
前記緩衝部材は、前記拡張部分の内側板面に付着される第１緩衝部と、前記安着面に付着される第２緩衝部と、を有することを特徴とする請求項４に記載の製パン機。 
【請求項７】
前記緩衝部材は、非金属絶縁材で所定の弾性を有することを特徴とする請求項１乃至６の中でいずれか一項に記載の製パン機。
【発明の詳細な説明】
【技術分野】
【０００１】
本発明は製パン機に係り、特に、オーブン室の内部に設けられたトレイ部材の流動による衝突騒音を減少させることができる製パン機に関する。
【背景技術】
【０００２】
一般に、製パン過程が複雑なので、過程では製パン材料の捏ね、発酵及び焼き過程を自動に行う製パン機を利用してパンを作る。
【０００３】
このような製パン機の一例として、韓国特許公開番号第２００１−３２１８８号の製パン機は、外観を形成するハウジングと、ハウジングに設けられたドアと、ハウジングの前方に一側に設けられたＬＣＤ表示部と、を含む。
【０００４】
ハウジングの内部の上部と下部には、ミックスバッグの両端部が巻き取られる上部ローラーと下部ローラーとが互いに平行に回転可能に設けられており、上部ローラーと下部ローラーとの間には、ミックスバッグ内で捏ねられる材料が上部ローラーまで移動しないようにする一対の上部捏ね係止部材が設けられている。
【０００５】
一方、上部捏ね係止部材と下部ローラーとの間には、捏ねられた材料が受容されるようにベーキングトレイが引出されるように設けられている。
【０００６】
ベーキングトレイは、互いに対称される固定半部及び移動半部の相互の結合により上向き開口された筒形状を有し、ここで移動可能な半部は、ピボットホルダーと共同作用するピボット手段により装着される。
【０００７】
このような構成により、ミックスバッグにより受容された材料は、上部ローラー及び下部ローラーにより捏ね作業時に上下方向に繰返して移動するので、上部部材とベーキングトレイとの間で材料が捏ねられる。このような捏ね作業の終了後、ミックスバッグが除去され、ベーキングトレイに安着された捏ねは、熱によりパンが完成される。
【０００８】
ところが、このような従来の製パン機においては、捏ね作業時に、固定半部と移動半部により形成されるベーキングトレイのスリットの間に介された混合バッグが上下に移動されることにより、ハウジングの内部に装着されたベーキングトレイが上下に流動されることによりベーキングトレイが装着されたハウジングの内部面とベーキングトレイが互いに衝突することにより、衝突騒音が発生する問題がある。
【０００９】
即ち、従来の製パン機において、ハウジングの内部に装着されたベーキングトレイが捏ね作業時に上下に微動することにより、ベーキングトレイがハウジングの内部面にぶつかって騒音が発生する問題がある。
【発明の開示】
【発明が解決しようとする課題】
【００１０】
本発明の目的は、オーブン室の内部に設けられたトレイ部材の流動による衝突騒音を減少することができる製パン機を提供することにある。
【課題を解決するための手段】
【００１１】
前記目的を達成するために本発明によるは、オーブン室を形成する本体と、前記オーブン室内に上下に互いに離隔されて設けられて混合バッグの両端部を把持して回転する一対の捏ねドラムと、を含む製パン機において、前記両捏ねドラムの間で前記混合バッグの通過のためのスリットを形成するように互いに対向して配置される一対のトレイ部材と、前記一対のトレイ部材の両端部に結合されるトレイホルダー部材と、前記オーブン室の内部の両側壁に互いに対向して設けられ、前記トレイホルダー部材とスライディング結合されて、前記トレイホルダー部材をスライディングできるように案内する一対のガイド部材と、前記トレイホルダー部材と前記ガイド部材との間に介される緩衝部材と、を含むことを特徴とする。
【００１２】
ここで、前記緩衝部材は、前記トレイホルダー部材と前記ガイド部材との中でいずれか一つに付着されていることができる。
【００１３】
また、前記ガイド部材は、前記オーブン室の内部の側壁に結合される結合面と、前記結合面の下端部から延長形成されて、前記トレイホルダー部材の下部面が安着される安着面と、前記安着面と所定の離隔間隔をおいて互いに平行に配置されるように前記結合面の上端部から延長形成された上部面を有し、前記上部面は、前記安着面の幅よりも小幅を有する狭小部分と、前記安着面の幅と略同一幅を有する拡張部分と、を有することが好ましい。
【００１４】
また、前記一対のトレイ部材は、前記トレイホルダー部材に結合される固定トレイ部材と、前記トレイ部材に対して回動できるように結合される回動トレイ部材と、を含み、前記狭小部分は、前記回動トレイ部材の長手方向に対して垂直方向による長手と略同一であることが好ましい。
【００１５】
また、前記緩衝部材は、前記拡張部分に対応する前記トレイホルダー部材の上部面に付着される第１緩衝部と、前記トレイホルダー部材の下部面に付着される第２緩衝部と、を有することができる。
【００１６】
前記緩衝部材は、前記拡張部分の内側板面に付着される第１緩衝部と、前記安着面に付着される第２緩衝部と、を有することが好ましい。
【００１７】
前記緩衝部材は、非金属絶縁材で所定の弾性を有することが好ましい。
【発明の効果】
【００１８】
上述したように、本発明によれば、オーブン室の内部に設けられたトレイ部材の流動による衝突騒音を減少することができる製パン機を提供することができる。 
【発明を実施するための最良の形態】
【００１９】
以下、添付した図面を参照して、本発明に対して詳細に説明する。
図１は本発明の第１実施形態による製パン機の製パントレイ組立体の引出状態の斜視図であり、図２は図１による製パントレイ組立体の結合斜視図であり、図３は図１のオーブン室に設けられたガイド部材と図２による製パントレイ組立体の分解斜視図であり、図４は図２のIV−IV線による断面図である。
【００２０】
図面に示すように、本発明による製パン機は、オーブン室１０が形成されている本体１と、オーブン室１０の前面開口を回動開閉するドア３と、本体１の前方一側に設けられて機器の運転状態を表示する運転表示パネル部２と、を有する。
【００２１】
オーブン室１０の内側の上部と下部には、製パン材料が含まれたミックスバッグ（図示せず）両端部が巻き取られる上部捏ねドラム１１と下部捏ねドラム１３が互に平行に正逆回転できるように設けられており、上部捏ねドラム１１と下部捏ねドラム１３との間には、ミックスバッグ内で捏ねられる材料が上部捏ねドラム１１まで移動しないようにする一対の捏ね係止部材１３が設けられている。
【００２２】
また、上部捏ねドラム１１及び下部捏ねドラム１２の間のオーブン室１０の下部には、捏ねられた材料が受容されるように製パントレイ組立体２０が引出できるように設けられている。
【００２３】
製パントレイ組立体２０は、互いに対称される略Ｌ字形状の固定トレイ部材３１及び回動トレイ部材３３からなる製パントレイ３０と、固定トレイ部材３１及び回動トレイ部材３３の両端部に結合される一対のトレイホルダー部材４０と、を有する。
【００２４】
固定トレイ部材３１の両側壁の下端部には、一対のトレイホルダー部材４０に結合される固定突起３２が板面から突出形成されており、回動トレイ部材３３の両側壁の下端部には一対のトレイホルダー部材４０に回動できるように結合される結合突起３４が板面から突出形成されている。
【００２５】
トレイホルダー部材４０は、オーブン室１０の内部の両側壁に相互に対向するように設けられたガイド部材１４にスライド結合され、固定トレイ部材３１が接触される領域には、固定トレイ部材３１の固定突起３２が挿入される固定突起受容部（図示せず）が板面から陥没形成されており、回動トレイ部材３３と接触される領域には、回動トレイ部材３３の結合突起３４を回動できるように受容するガイド溝４２が板面から陥没形成されている。
【００２６】
これにより、固定トレイ部材３１の固定突起３２がトレイホルダー部材４０の固定突起受容部（図示せず）に挿入されると、固定トレイ部材３１はトレイホルダー部材４０に固定設けられ、回動トレイ部材３３の結合突起３４がトレイホルダー部材４０のガイド溝４２に回動できるように挿入されると回動トレイ部材３３は、トレイホルダー部材４０に回動できるように設けられる。
【００２７】
このように、トレイホルダー部材４０により固定トレイ部材３１及び回動トレイ部材３３が互いに対向するように配置されると、固定トレイ部材３１及び回動トレイ部材３３は、製パン材料が安着されるように上向き開口された筒形状の製パントレイ３０を形成し、これにより固定トレイ部材３１及び回動トレイ部材３３の接触領域に沿ってスリット２１が形成される。
【００２８】
このように構成される製パントレイ組立体２０がオーブン室１０の内部でスライディングできるように装着されるように製パントレイ組立体２０のトレイホルダー部材４０がオーブン室１０ガイド部材１４とスライディング結合される。
【００２９】
ここで、ガイド部材１４は、トレイホルダー部材４０のスライディング移動を案内する役割として、オーブン室１０の内部の両側壁に互いに対向するように一対が設けられる。
【００３０】
ガイド部材１４は、オーブン室１０の内部の側壁に結合される結合面５１と、結合面５１の下端部から延長形成されてトレイホルダー部材４０の下部面が安着される安着面５２と、安着面５２と所定の離隔間隔をおいて互いに平行に配置される結合面５１の上端部から延長形成された上部面５３と、を有する。
【００３１】
ガイド部材１４の上部面５３は、安着面５２の横幅より狭い幅を有する狭小部分５４と、結合面５１の板面に対する垂直方向による安着面５２の幅と略同一の幅を有する拡張部分５５と、を有する。
【００３２】
狭小部分５４は、ガイド部材１４にトレイホルダー部材４０が結合された状態で横幅（ｃ）と略同一の長さを有し、拡張部分５５は固定トレイ部材３１の横幅（ｄ）と略同一の長さを有する。
【００３３】
また、製パントレイ組立体２０がオーブン室１０に装着された状態、即ちトレイホルダー部材４０がガイド部材１４とスライディング結合された状態で、ガイド部材１４とトレイホルダー部材４０との間には、上部捏ねドラム１１及び下部捏ねドラム１２の正逆回転時にトレイホルダー部材４０の上下流動を阻止するための緩衝部材６０が介されている。
【００３４】
緩衝部材６０は、非金属絶縁材として、所定の弾性を有する材質からなり、例えば、ゴム、シリコンなど様々に使用することができ、第１実施形態が示された図３及び図４に示すように、ガイド部材１４の上部面５３の拡張部分５５に対応するトレイホルダー部材４０の上部面に付着される第１緩衝部６１と、トレイホルダー部材４０の下部面に付着される第２緩衝部６２と、を有する。本第１実施形態にでは、第１緩衝部はガイド部材１４の上部面５３の拡張部分５５に対応するトレイホルダ部材ー４０の上部面に付着されており、第２緩衝部６２はトレイホルダー部材４０の加部面に付着されているが、第２実施形態を示す図５に示すように、第１緩衝部６１ａは、ガイド部材１４の上部面５３の拡張部分５５の内側板面に付着され、第２緩衝部６２ａは安着面５２に付着されることもできる。また、前述した第１及び第２実施形態においては、緩衝部材６０が第１緩衝部６１、６１ａ及び第２緩衝部６２、６２ａから構成されて、一面に付着されることにより、ガイド部材１４とトレイホルダー部材４０との間に介されるが、非金属絶縁材として所定の弾性を有する材料を一面に塗布することによりガイド部材１４とトレイホルダー部材４０との間に緩衝部材が介されるようにすることもできる。
【００３５】
このような構成により、オーブン室１０内に受容される混合バッグは、一端部が上部捏ねドラム１１に巻き取られ、他端部が一対の捏ね係止部材１３の間を通過し、製パントレイ３０の底部に形成されたスリット２１を通過して下部捏ねドラム１２に巻き取られる。また、製パン材料が受容された混合バッグは、上部捏ねドラム１１及び下部捏ねドラム１２により捏ね作業時に上下方向に繰返して移動するので、捏ね係止部材１３と製パントレイ３９との間で製パン材料が捏ねられる。このような捏ね作業の終了後、下部捏ねドラム１２だけ回転されるので混合バッグは、上部捏ねドラム１１から離脱され、捏ね係止部材を通過して最終的に製パントレイ３０の底部に形成されたスリット２１を通過するのに、混合バッグが製パントレイ３０のスリット２１を通過する時、混合バッグに受容された製パン材料は製パントレイ３０のスリットを通過しなく混合バッグと分離されて製パントレイ３０に安着され、混合バッグは、製パントレイ３０のスリット２１を通過して下部捏ねドラム１２に巻き取られる。これにより製パントレイ３０に安着された製パン材料は、製パンヒーター１０からの熱によりパンが完成される。
【００３６】
また、本発明による製パン機では、捏ね作業時に混合バッグが固定トレイ部材３１及び回動トレイ部材３３が形成されるスリット２１の間で繰返して上下方向に移動するとき、トレイホルダー部材４０とガイド部材１４との間に介された緩衝部材４０によりガイド部材１４内でトレイホルダー部材４０が上下に流動することが阻止されることにより、ガイド部材１４とトレイホルダー部材４０の衝突騒音が発生することを抑制することができる。
【００３７】
このように、本発明によると、ガイド部材１４とトレイホルダー部材４０との間に介された緩衝部材６０により捏ね作業時ガイド部材１４内でトレイホルダー部材４０が流動されることが阻止されることによりガイド部材１４とトレイホルダー部材４０の相互の衝突騒音が発生することが抑制されてユーザーに製品の信頼度が向上された製パン機を提供することができる。
【図面の簡単な説明】
【００３８】
【図１】図１は本発明の第１実施形態による製パン機の製パントレイ組立体の引出状態の斜視図である。
【図２】図２は図１による製パントレイ組立体の結合斜視図である。
【図３】図１のオーブン室に設けられたガイド部材と第２による製パントレイ組立体の分解斜視図である。
【図４】図２のIV−IV線による断面図である。
【図５】本発明の第２実施形態による製パン機のオーブン室に設けられたガイド部材と、製パントレイ組立体の分解斜視図である。
【図６】本発明の第２実施形態による製パン機のオーブン室に設けられたガイド部材と、製パントレイ組立体の分解斜視図である。
【図７】本発明の第２実施形態による製パン機のオーブン室に設けられたガイド部材と、製パントレイ組立体の分解斜視図である。
【符号の説明】
【００３９】
１  本体
２  運転表示パネル部
３  ドア
１０  オーブン室
１１  上部捏ねドラム
１２  下部捏ねドラム
１３  捏ね係止部材
１４  ガイド部材
１６  製パンヒーター
２０  製パントレイ組立体
２１  スリット
３０  製パントレイ
３１  固定トレイ部材
３３  回動トレイ部材
３４  結合突起
４０  トレイホルダー部材
４２  ガイド溝
６０  緩衝部材
【図１】
2004329905.tif 000003
【図２】
2004329905.tif 000004
【図３】
2004329905.tif 000005
【図４】
2004329905.tif 000006
【図５】
2004329905.tif 000007
【図６】
2004329905.tif 000008
【図７】
2004329905.tif 000009